(57)【要約】      （修正有）【課題】インターフェースコネクタのみを用いて電子デバイスを支持することができる見た目に美しいドッキングステーションを提供する。【解決手段】ドッキングステーション１００は、ドッキングステーション１００に係合されたままで電子デバイス１１０が過度に偏向された場合に電子デバイス１１０を損傷から保護する機構を更に備える。【選択図】図４
0003212076.tif 000002
【実用新案登録請求の範囲】
【請求項１】
ポータブル電子デバイス用ドッキングステーションであって、
基体の上方に配置され基体に固定されたカバーを有する筐体と、
前記電子デバイスのための十分な支持を提供するように構成され、前記基体に固定された第１の端部、及び前記カバーの外面を越えて鋭角で延びる第２の端部を有するコネクタプラグと、
前記筐体内に配置され、前記コネクタプラグを支持し前記鋭角を画定するように構成されたブレースと、
前記コネクタプラグに及び前記筐体に結合された可撓性構造体と、
を備え、
前記可撓性構造体は、前記コネクタプラグが前記ブレースから離れる方向に強制的に偏向されるのを可能にする、ドッキングステーション。
【請求項２】
前記ブレースが、前記コネクタプラグに加わる所定の最大量の力を支持し、前記最大量の力を上回る場合に偏向するように構成された、請求項１に記載のドッキングステーション。
【請求項３】
前記所定の最大量の力は、前記ポータブル電子デバイスを損傷させるのに必要な最小の力未満である、請求項２に記載のドッキングステーション。
【請求項４】
前記支持ブレースが提供するように構成される前記所定の最大量の力は、８００〜１８００ニュートン・ミリメートルのトルクの間である、請求項２に記載のドッキングステーション。
【請求項５】
前記ブレースが、前記鋭角を変更することができるように調節可能である、請求項１に記載のドッキングステーション。
【請求項６】
前記ブレースが、前記鋭角が６９〜８９度の間であるように調節可能である、請求項５に記載のドッキングステーション。
【請求項７】
前記ブレースが、変形可能な梁により前記コネクタへの支持を提供する脚に結合され、前記筐体基体に取り付けられた調節可能な支持板を含む、請求項１に記載のドッキングステーション。
【請求項８】
前記可撓性構造体が、前記基体内に配置された取付板、及び前記カバー内に配置されたエラストマインサートを含む、請求項１に記載のドッキングステーション。
【請求項９】
ポータブル電子デバイス用ドッキングステーションであって、
屈曲するように構成された底部壁を有する筐体基体と、
前記底部壁に鋭角に取り付けられ、前記ポータブル電子デバイスと係合するように構成されたコネクタと、
前記筐体基体に固定され、エラストマインサートであって、前記コネクタが移動されると前記底部壁及び前記エラストマインサートの両方が偏向するように前記コネクタが貫通して突出する、エラストマインサート、を有する開口を有する筐体カバーと、
前記筐体内に配置され、前記コネクタを前記鋭角に支持する支持ブレースと、
を備えるドッキングステーション。
【請求項１０】
前記筐体基体の前記底部壁が、前記コネクタと接続して機能するインサート成形された取付板を含む、請求項９に記載のドッキングステーション。
【請求項１１】
前記筐体カバーが、前記筐体基体の上に配置され、前記カバー及び前記基体が、内部空洞を有するエンクロージャを形成する、請求項９に記載のドッキングステーション。
【請求項１２】
質量板が、前記エンクロージャ内に配置され、前記筐体基体に固定され、前記支持ブレースが、前記質量板に固定された、請求項１１に記載のドッキングステーション。
【請求項１３】
前記支持ブレースが、前記鋭角が調節可能なように調節可能であるように構成された、請求項９に記載のドッキングステーション。
【請求項１４】
前記支持ブレースが、前記コネクタに加わる所定の最大量の力まで前記コネクタに支持を提供するように構成された硬質のブレースである、請求項９に記載のドッキングステーション。
【請求項１５】
前記支持ブレースが、前記コネクタに加わる前記所定の最大量の力を上回る場合、偏向するように更に構成された、請求項１４に記載のドッキングステーション。
【請求項１６】
前記偏向が、前記鋭角が減少するように前記コネクタが移動することを可能にする、請求項１５に記載のドッキングステーション。
【請求項１７】
ポータブル電子デバイス用ドッキングステーションであって、
基体の上方に配置され基体に固定されたカバーを有する筐体と、
前記基体に固定されたブラケットに貼り付けられた第１の端部、及び前記カバーの上面を越えて延び前記電子デバイスに結合するように構成された第２の端部を有するコネクタプラグと、
を備え、前記ブラケットは、前記コネクタプラグに加わる所定の最大量の力を支持し、前記最大量の力を上回る場合に偏向するように構成された、ドッキングステーション。
【請求項１８】
前記ブラケットが、前記コネクタに貼り付けられた上部部分及び下部部分を有する、請求項１７に記載のドッキングステーション。
【請求項１９】
前記上部部分及び下部部分が、互いの上に配置され前記基体に固定された取付フランジを有する、請求項１８に記載のドッキングステーション。
【請求項２０】
前記上部部分が、前記コネクタに貼り付けられた実質的に平坦な取付面を有する、請求項１８に記載のドッキングステーション。
【考案の詳細な説明】
【関連出願の相互参照】
【０００１】
本出願は、２０１４年９月８日付けで出願された「ＤＯＣＫＩＮＧ  ＳＴＡＴＩＯＮ  ＷＩＴＨ  ＩＮＴＥＧＲＡＬ  ＤＥＶＩＣＥ  ＳＵＰＰＯＲＴ  ＳＴＲＵＣＴＵＲＥ」と題する米国特許暫定出願第６２／０４７，５６３号に対する優先権を主張する、２０１５年３月１６日付けで出願された「ＤＯＣＫＩＮＧ  ＳＴＡＴＩＯＮ  ＷＩＴＨ  ＩＮＴＥＧＲＡＬ  ＤＥＶＩＣＥ  ＳＵＰＰＯＲＴ  ＳＴＲＵＣＴＵＲＥ」と題する米国特許非暫定出願第１４／６５９，１７６号に対する優先権を主張し、これらの出願は、あらゆる目的のためにその全体が参照により本明細書に組み込まれる。
【技術分野】
【０００２】
本考案は、概してポータブル電子デバイス用ドッキングステーションに関し、具体的には、見た目に美しく、電子デバイスが係合されている間に過度に偏向された場合に電子デバイスを損傷から保護することができるドッキングステーションに関する。
【背景技術】
【０００３】
現在、電子デバイスに電気的に接続するためのコネクタを含む、多様な電子デバイス用ドッキングステーションがある。ドックと電子デバイスとの間の接続は、電力を提供するため、データ又は他の情報を伝送するため、又は任意の他の好適な理由のために、確立することができる。消費者は、コネクタのみがドッキングステーションの外面を阻害する、見た目に美しいドッキングステーションを所望することがある。消費者はまた、ドックが電子デバイスを使いやすい視野角に保持するとともに、消費者がデバイスを直感的な取り外し動作を提供するより垂直な位置に一時的に傾けることを可能にすることを所望することがある。最終的に、消費者はまた、係合されている間に電子デバイスが過度に偏向された場合に電子デバイスを損傷から保護することを所望することがある。
【０００４】
新しいドッキングステーションは、コネクタのみを用いて適切な視野角に電子デバイスを支持するとともに、また係合されている間に電子デバイスを損傷から保護する、新しい機能を必要とすることがある。
【考案の概要】
【０００５】
本考案の実施形態は、電子デバイス用ドッキングステーションに関する。いくつかの実施形態では、ドッキングステーションは、見た目に美しい外観を提供するとともに、係合されている間に電子デバイスを損傷から保護するように構成することができる。
【０００６】
本考案のいくつかの実施形態は、基体の上方に配置され基体に固定されたカバーを含む筐体を有するドッキングステーションに関する。コネクタプラグは、電子デバイスのための十分な支持を提供することができ、筐体基体に固定された第１の端部、及びカバーの外面を越えて鋭角で延びる第２の端部を有することができる。ブレースを筐体内に配置して、コネクタプラグを支持するように構成することができる。ブレースは、鋭角を画定するように更に構成することができる。可撓性構造体をコネクタプラグ及び筐体に結合して、コネクタプラグがブレースから離れる方向に強制的に偏向されるのを可能にすることができる。
【０００７】
更なる実施形態は、コネクタプラグに加わる所定の最大量の力を支持し、最大量の力を上回る場合に偏向するように構成された、ブレースを有することができる。いくつかの実施形態では、所定の最大量の力は、ポータブル電子デバイスを損傷させるのに必要な最小の力未満とすることができる。
【０００８】
いくつかの実施形態は、屈曲するように構成された底部壁を有する筐体基体を有するドッキングステーションに関することができる。コネクタは、底部壁に鋭角に取り付けて、ポータブル電子デバイスと結合するように構成することができる。筐体カバーは、筐体基体に固定することができ、コネクタが貫通して突出するエラストマインサートを有する開口を有することができる。底部壁及びエラストマインサートは、コネクタが移動されると偏向することができる。支持ブレースは、筐体内に配置して、コネクタを鋭角に支持することができる。
【０００９】
更なる実施形態は、筐体基体の底部壁が、コネクタと接続して機能するインサート成形された取付板を含むように構成することができる。いくつかの実施形態は、筐体基体に固定されたエンクロージャ内に配置された質量板を有することができる。更に、支持ブレースは、質量板に固定することができる。
【００１０】
いくつかの実施形態は、コネクタに加わる所定の最大量の力までコネクタに支持を提供するように構成された支持ブレースを有することができる。支持ブレースは、コネクタに加わる所定の最大量の力を上回る場合、偏向するように更に構成することができる。
【００１１】
本考案の性質及び利点の理解をより深めるために以下の説明及び添付図面を参照願いたい。しかし、図のそれぞれは、例示の目的のためのみに提供されており、本考案の範囲の限界の定義として意図されていないことを理解されたい。また、一般的なルールとして、及び、記載内容とは別途に明らかでない限り、異なる図中の要素に同じ参照番号が使用されている場合、その要素は、概ね、機能又は目的において同一であるか少なくとも類似であることが理解されよう。
【図面の簡単な説明】
【００１２】
【図１】本考案の一実施形態による、電子デバイス及びドッキングステーションの正面斜視図である。
【図２】本考案の一実施形態による、図１に示すドッキングステーションの構成要素の分解組立図である。
【図３】電子デバイスが係合された、図１に示すドッキングステーションの部分断面図である。
【図４】電子デバイスの取り外し動作中の、図１に示すドッキングステーションの部分断面図である。
【図５】電子デバイスが後方に偏向された、図１に示すドッキングステーションの部分断面図である。
【図６】図１に示すドッキングステーション用のプラグコネクタ及び取付ブラケットの正面斜視分解組立図である。
【図７】図１に示すドッキングステーション用のプラグコネクタ及び取付ブラケットの正面斜視図である。
【考案を実施するための形態】
【００１３】
本考案の特定の実施形態は、電子デバイス用ドッキングステーションに関する。本考案は、多様なドッキングステーションに対して有用であり得るが、本考案のいくつかの実施形態は、以下により詳細に説明するように、支持のためにインターフェースコネクタのみを使用するドッキングステーションに対して特に有用である。
【００１４】
図１は、見た目に魅力的な外観を提供し、外部支持構造体の必要なしに電子デバイス１１０のための十分な支持を提供することができるインターフェースコネクタプラグ１０５を有する、ドッキングステーション１００の一実施形態の例示的なレンダーリングを示す。ドッキングステーション１００はまた、電子デバイス１１０を鋭角１１５に保持して、ユーザが容易に取り外せるように電子デバイス１１０を前方に傾けることを可能にすることができ、デバイスがドッキングステーションと係合されている間に過度に偏向された場合にデバイスを損傷から更に保護することができる。電子デバイス１１０が前方に、後方に、又は横向きに過度に偏向された場合、以下により詳細に説明するように電子デバイスの前にドッキングステーション１００が機能しなくなるように、多様な保護機能を、それら自体により又は互いに関連して用いることができる。
【００１５】
ドッキングステーション１００は、筐体基体１３０の上方に配置され筐体基体に固定されたカバー１２５を含む筐体１２０を有する。筐体１２０は、外面１３５及び外面の小面から鋭角１１５で突出するプラグコネクタ１０５を有することができる。プラグコネクタ１０５は、電子デバイス１１０のレセプタクルコネクタ１４０と係合するように構成することができる。係合されると、電子デバイス１１０をドッキングステーション１００に保持する唯一の支持を、プラグコネクタ１０５により提供することができ、結果として見た目に美しい設計となる。
【００１６】
電子デバイス１１０は、入力構成要素としての多目的ボタン１４５、入出力双方の構成要素としてのタッチスクリーンディスプレイ１５０、及び出力構成要素としてのスピーカ１５５を含み、これらのすべては、デバイス筐体１６０内部に収容される。レセプタクルコネクタ１４０は、デバイス筐体１６０内に配置して、ドッキングステーション１００の対応するプラグコネクタ１０５に係合するように構成することができる。
【００１７】
本考案によるドッキングステーションの特徴及び態様をより良く理解するために、本考案に対する更なるコンテキストを、本考案の一実施形態によるドッキングステーションの特定の一実施形態を説明することにより以下の節で提供する。
【００１８】
図２に示すように、ドッキングステーション１００の一実施形態の簡略化した分解組立等角投影図が提供される。この例示は、ドッキングステーション１００を構成する主な内部構成要素及び外部構成要素、並びにそれらが互いに適合する様子を示す。コネクタ１０５は、筐体基体１３０に固定された第１の端部２０５を有する。より具体的には、コネクタ１０５は、筐体基体１３０内に配置された取付パネル２１５にブラケット２１０により固定されている。ブラケット２１０については、以下により詳細に説明する。いくつかの実施形態では、取付パネル２１５は、筐体基体１３０の底部壁２２０内にインサート成形することができる。ブラケット２１０は、任意の種類の締め具、溶接、又は他の手段を用いて取付パネル２１５に固定することができる。回路基板２２５は、筐体基体１３０上に配置され、コネクタ１０５と別の電子デバイスとの間の通信を提供する、及び／又は電源への接続を促進する。コネクタ１０５は、可撓性回路２３０、又はワイヤなどだがこれに限定されない他の方法を用いて、プリント回路基板２２５に電気的に接続することができる。
【００１９】
質量板２３５は、プリント回路基板２２５の一部分の上方に配置することができ、また筐体基体１３０に固定することができる。質量板２３５は、金属又は金属合金から製造することができ、ドッキングステーションが安定し電子デバイス１１０（図１を参照）を確実に保持するように、ドッキングステーション１００用の質量として主に機能することができる。
【００２０】
支持ブレース２４０は、質量板２３５に固定することができ、以下により詳細に説明するように、コネクタ１０５への支持を提供するように構成することができる。支持ブレース２４０は、コネクタ１０５を支持する脚２５５に結合された変形可能な梁２５０を有する調節可能な板２４５を含むことができる。支持ブレース２４０は、コネクタ１０５への所定の量の支持を提供するように構成することができ、以下により詳細に説明するように、電子デバイス１１０（図１を参照）を過度の偏向による損傷から保護するために、特定の力を上回って変形するように更に構成することができる。一実施形態では、調節可能な板２４０は、２つの締め具２６０ａ、２６０ｂを用いて、締め具が緩められていると調節可能な板が実質的に直線パターンで前方及び後方にスロット２６５ａ、２６５ｂにより画定される経路に沿って摺動することができるように、質量板２３５に取り付けることができる。組立中に、締め具２６０ａ、２６０ｂが緩んでいると、調節可能な板２４５は、以下により詳細に説明するように、コネクタ１０５に対して摺動して、コネクタ１０５の鋭角１１５（図１を参照）を画定するために使用することができる。いくつかの実施形態では、支持ブレース２４０は、金属又は金属合金から製造することができる。他の実施形態では、支持ブレース２４０は、プラスチック又は他の材料から製造することができる。更なる実施形態では、支持ブレース２４０は、質量板２３５と一体化して、実質的に単一の構造体を含むことができる。そのような実施形態では、コネクタの鋭角１１５（図１を参照）を画定するために脚２５５がコネクタ１０５と接触して摺動できるように、質量板２３５を調節可能とすることができる。
【００２１】
筐体カバー２７０は、筐体基体１３０の上部に配置して、筐体基体に固定することができる。筐体カバー２７０及び筐体基体１３０は、内部空洞を有するエンクロージャを形成することができる。筐体カバー２７０は、コネクタ１０５が貫通して突出する、エラストマインサート２８０を有する開口２７５を有することができる。エラストマインサート２８０は、開口２７５に固定することができる。いくつかの実施形態では、筐体カバー２７０及び筐体基体１３０は、プラスチック材料から製造することができ、他の実施形態では、金属などだがこれに限定されない異なる材料を使用することができる。
【００２２】
図３に示すように、ドッキングステーション１００に完全に係合された電子デバイス１１０の簡略化した部分断面図が示されている（すなわち、電子デバイス１１０のレセプタクルコネクタ１４０は、ドッキングステーション１００のプラグコネクタ１０５と完全に係合されている）。この図は、ドッキングステーション１００の内部構成要素及び外部構成要素が整列されて電子デバイス１１０のための支持及び保護を提供する様子を示す。
【００２３】
いくつかの実施形態では、コネクタ１０５は、電子デバイス１１０のための唯一の機械的支持を提供して、ドッキングステーション１００の外面１３５を見た目に美しくしている（すなわち、電子デバイスを支持するためのドッキングステーションの外面上の他の支持構造体がない）。いくつかの実施形態では、プラグコネクタ１０５の第１の端部２０５は、ブラケット２１０により取付板２１５に固定することができる。取付板２１５は、筐体基体１３０の底部壁２２０内に配置することができる。いくつかの実施形態では、取付板２１５は、金属又は金属合金から製造して、底部壁２２０にインサート成形することができる。他の実施形態では、取付板２１５をなくすことができ、ブラケット２１０を、実質的に隣接する底部壁２２０に固定することができる。
【００２４】
コネクタ１０５は、カバー２７０の開口２７５内に配置されたエラストマインサート２８０を貫通して突出するように配置することができる。電子デバイス１１０の重量を鋭角１１５で支持するためのコネクタ１０５用の必要な機械的構造体を提供するために、支持ブレース２４０は、脚２５５がコネクタ１０５の背面３１０に向かって配置されるように調整することができる。上述したように、支持ブレース２４０は、コネクタ１０５への支持を提供するように構成された硬質のブレースとすることができる。支持ブレース２４０は、質量板２３５に取り付けられた調節可能な板２４５、及びコネクタ１０５への支持を提供する脚２５５に結合された変形可能な梁２５０を含むことができる。
【００２５】
支持ブレース２４０は、コネクタ１０５への所定の量の支持を提供するように構成することができ、以下により詳細に説明するように、特定の力を上回って変形するように更に構成することができる。調節可能な板２４５は、２つの締め具２６０ａ、２６０ｂを用いて、締め具が緩められていると支持ブレース２４０がコネクタ１０５と接触して摺動することができるように、質量板２３５に取り付けることができる。支持ブレース２４０の位置調整を維持するためのレールを有する単一の締め具、接着剤、所定の位置への溶接、並びに他の方法などの、調節可能な板２４５を質量板に締結する他の手段は、本開示の範囲内である。組立中に、締め具２６０ａ、２６０ｂが緩んでいると、支持ブレース２４０は、コネクタ１０５に対して摺動して、コネクタ１０５の鋭角１１５を画定するために使用することができる。
【００２６】
コネクタ１０５は、電子デバイス１１０との接続を促進するために、筐体カバー２７０の外面１３５を超えて鋭角１１５で延びることができる。電子デバイス１１０を鋭角１１５で配置することにより、ユーザに電子デバイス１１０に対する改善された視野角を提供して、ユーザがデバイスと双方向作用するのをより容易にすることができる。いくつかの実施形態では、支持ブレース２４０は、鋭角に影響し得る製造上の変動を調整することができるように、鋭角１１５を調整するために使用することができる。いくつかの実施形態では、鋭角１１５は、６９〜８９度の間であり、いくつかの実施形態では、この角度は、７４〜８４度の間である。一実施形態では、鋭角１１５は、概略７９度である。
【００２７】
いくつかの実施形態では、エラストマインサート２８０は、コネクタとドッキングステーション１００との間に隙間がほとんどない又は全くないようにコネクタ１０５の周囲に比較的密に嵌合して、見た目に魅力的な外観を提供することができる。更なる実施形態では、エラストマインサート２８０は、本明細書で説明するように、隙間がコネクタ１０５とドッキングステーション１００との間に見えることなくコネクタ１０５が偏向することを可能にして、見た目に美しい外観を維持することができる。
【００２８】
更なる実施形態では、筐体基体１３０の底部壁２２０は、エラストマの取付パッド３１５を備えることができる。エラストマのパッド３１５は、ドッキングステーション１００が表面に確実に貼り付くのを可能にして、電子デバイス１１０とのユーザの双方向作用を促進することができる。更なる実施形態では、筐体基体１３０の底部壁２２０は、筐体基体の底部壁内の不連続点がエラストマの取付パッド内に見えないように平滑化するために、底部壁２２０とエラストマのパッド３１５との間に配置された金属箔３２０を有することができる。
【００２９】
図４に示すように、ドッキングステーション１００からの電子デバイス１１０の取り外しサイクルの簡略化した部分断面図が示されている。この図は、図３と同じ断面図を示すが、この図では、電子デバイス１１０は、ドッキングステーション１００から取り外されるプロセスにあるように、前方及び上方に引かれている。上述したように、いくつかの実施形態では、ドッキングステーション１００は、ユーザがデバイスと双方向作用するのをより容易にするように、電子デバイスを概略７９度の鋭角に保持することができる。しかし、ドッキングステーション１００から電子デバイス１１０を取り外そうと試みる場合、一部のユーザは、より大きな角度４１５を好むことがある。すなわち、一部のユーザは、ドッキングステーション１００に対して電子デバイス１１０のより垂直な向きを好むことがあり（すなわち、それは７９度より大きな角度、いくつかの実施形態では、９０度より大きな角度である）、それにより、電子デバイスを取り外すときに一部のユーザにとってより直感的に感じることがある。取り外しサイクルの間、電子デバイス１１０がより垂直な向きに一時的に偏向されることを可能にするために、ドッキングステーション１００のいくつかの実施形態は、コネクタプラグ１０５及び筐体１２０に係合された可撓性構造体を有して、コネクタプラグ１０５が支持ブレース２４０から離れる方向に強制的に偏向されることを可能にすることができる。力の量及び感触は、以下により詳細に説明するように、ユーザに対して滑らかで直感的な感触を提供するように調整することができる。
【００３０】
図４に示すように、いくつかの実施形態では、可撓性構造体は、筐体基体１３０の底部壁２２０及びエラストマインサート２８０を含むことができる。より具体的には、取り外しサイクルにおいてユーザが電子デバイスを前方及び上方に引く場合、主としてトルクの形態であり得る力は、プラグコネクタ１０５、底部壁２２０、及びエラストマインサート２８０に付与することができる。コネクタ１０５に加えられるトルクの結果として、底部壁２２０及びエラストマインサート２８０は、図示されるように、一時的に変形することができる。いくつかの実施形態では、底部壁２２０及びエラストマインサート２８０の両方は、ユーザが取り外しサイクルを完了してコネクタ１０５にかかる力が開放されると、底部壁及びエラストマインサートがコネクタプラグ１０５を支持ブレース２４０に向かって押し戻すように、弾力性のあるものとすることができる。支持ブレース２４０の位置は、コネクタプラグ１０５の角度４１５を画定するように調整することができる。
【００３１】
上述したように、いくつかの実施形態では、筐体基体１３０の底部壁２２０は、底部壁にインサート成形された取付板２１５を含むことができ、底部壁及び取付板の両方が変形することができる。更なる実施形態では、変形は、取付板２１５内のみで生じることができ、他の実施形態では、取付板を越えて底部壁２２０の１つ以上の部分が変形することができる。また更なる実施形態では、エラストマの取付パッド３１５もまた、変形することができる。他の実施形態では、ブラケット２１０は、取り外しサイクル中にブラケットが支持ブレース２４０と干渉しないように、斜めの解放部分４２０を有するように構成することができる。
【００３２】
更なる実施形態では、力の量及び力の感触（すなわち、柔らかい又は堅い）は、底部壁２２０、取付板２１５、及びエラストマインサート２８０を変更することにより調整することができる。例えば、コネクタ１０５を前方に傾けるのに必要な力の量は、底部壁２２０、取付板２１５の厚さ、及び／又はエラストマインサート２８０の壁の厚さを増大することにより、増大することができる。他の実施形態では、前記の構造体の１つ以上の材料特性は、力の量及び／又は感触を変更するために変更することができる。更に、力の感触は、弾力性の力として主にエラストマインサート２８０を使用することにより、柔らかく感じるようにすることができる。逆に、力の感触は、弾力性の力として主に取付板２１５及び底部壁２２０を使用することにより、より堅く感じるようにすることができる。
【００３３】
エラストマインサート２８０に弾力性の特性を提供するために、いくつかの実施形態では、エラストマインサートは、ゴム、シリコーン、又は他のエラストマ材料から製造することができる。更なる実施形態では、エラストマインサート２８０は、２０〜１２０の間のショアＡ硬度を有するシリコーンとすることができ、他の実施形態では、シリコーンは、４０〜１００の間のショアＡ硬度を有することができる。また更なる実施形態では、シリコーンは、６０〜８０の間のショアＡ硬度を有することができる。
【００３４】
図５に示すように、デバイスが過度に後方に偏向された場合に電子デバイス１１０を損傷から保護する保護機構を用いた、一実施形態の簡易化した部分断面図が示されている。この図では、電子デバイス１１０は、著しく後方に偏向されていて、電子デバイスを損傷から保護するためにドッキングステーション１００の保護機能のいくつかが用いられている以外は、これは、図４及び図５に示したものと同じ断面である。
【００３５】
上述したように、いくつかの実施形態では、ドッキングステーション１００は、電子デバイス１１０をコネクタ１０５のみを用いて支持している。電子デバイス１１０用の追加の支持体がないため、いくつかの実施形態では、コネクタ１０５は、電子デバイス１１０（例えば、図１のデバイスのレセプタクルコネクタ１４０など）を損傷させるのに必要な力未満の所定の力で偏向するように設計されている。より具体的には、いくつかの実施形態では、支持ブレース２４０は、コネクタプラグ１０５に加わる所定の最大量の力を支持し、所定の最大量の力を上回る場合に偏向する（図５に示すように）ように構成された可撓性アーム２５０を有する。いくつかの実施形態では、所定の最大量の力は、電子デバイスが損傷から保護されるように、ポータブル電子デバイス１１０（例えば、図１のレセプタクルコネクタ１４０）を損傷させるのに必要な最小の力未満である。
【００３６】
いくつかの実施形態では、支持ブレース２４０が提供するように構成される所定の最大量の力は、８００〜１８００ニュートン・ミリメートルの間である。更なる実施形態では、ポータブル電子デバイス１１０を損傷させるのに必要な最小量の力は、１０００〜２０００ニュートン・ミリメートルの間である。
【００３７】
更なる実施形態では、ドッキングステーション１００は、電子デバイスが過度の偏向により損傷されないように、コネクタ１０５が他の方向（例えば、前方又は横向き）に偏向することを可能にするように構成することができる。例えば、図４に示すように、コネクタ１０５は、レセプタクルコネクタ１４０（図１を参照）に加わる応力を解放するように、前方に偏向することができる。更なる実施形態では、電子デバイス１１０は、前方又は横向きに過度に偏向することができ、以下により詳細に説明するように、レセプタクルコネクタが損傷されないようにレセプタクルコネクタ１４０に加わる応力を解放するために、ドッキングステーション１００の機能を用いることができる。
【００３８】
図６及び図７に示すように、電子デバイスが前方、後方、又は横向きに過度に偏向された場合に電子デバイス１１０（図１を参照）への更なる保護を提供するように構成することができる、ブラケット２１０の一実施形態が示されている。これらの図では、プラグコネクタ１０５及びブラケット２１０は、それらの保護機能とともに、より詳細に分解組立図に示されている。電子デバイス１１０を損傷させるのに必要であろう力より小さな力でドッキングステーション１００（図１を参照）が機能しなくなる（例えば、破滅的に変形する又は破壊する）ことを可能にし、したがって、ドッキングステーションに固定されながら電子デバイスを損傷から保護するために、多様な保護機能を用いることができる。
【００３９】
いくつかの実施形態では、ブラケット２１０は、上部ブラケット６０５及び下部ブラケット６１０を含むことができる。上部ブラケット６０５は、Ｕ字形状のカップ６２０により接続された、一対の取付フランジ６１５ａ、６１５ｂを有することができる。Ｕ字形状のカップは、１つ以上の剛性構造６３０を上に有する実質的に平坦な取付面６２５を有することができる。下部ブラケット６１０は、支持構造体６４０により接続された、一対の取付フランジ６３５ａ、６３５ｂを有することができる。支持構造体６４０は、実質的に平坦な取付面６４５を有することができる。プラグコネクタ１０５は、プラグコネクタの第１の端部２０５のいずれかの面上に配置された一対の取付ボス６５０ａ、６５０ｂ（６５０ａのみが図６に示されている）を有することができる。可撓性回路基板２３０又は他の電子的相互接続ケーブルは、プラグコネクタ１０５の第１の端部２０５から延びることができる。プラグコネクタ１０５の第２の端部６５５は、電子デバイス１１０（図１を参照）と係合するように構成される。
【００４０】
図７に示すように、上部ブラケット６０５及び下部ブラケット６１０は、組み立てられた状態で示されている。上部ブラケット６０５及び下部ブラケット６１０は、取付フランジ６１５ａ、６１５ｂ、６３５ａ、６３５ｂが互いの上に整列するように、コネクタ１０５に向かって配置することができる。
【００４１】
更に、上部ブラケット６０５の取付面６２５は、レーザー溶接、スポット溶接、半田付け、ろう付け、接着剤、スタンピング、スウェージング、又は他の技術を含むがこれらに限定されない多様な方法を用いて、取付ボス６５０ａ（図６を参照）に固定することができる。下部ブラケット６１０の取付面６４５は、同様な方法を用いて、取付ボス６５０ｂに取り付けることができる。ブラケット２１０は、次に、締め具又は別の方法を用いて、取付板２１５（図２を参照）に固定することができる。
【００４２】
他の実施形態では、上部ブラケット６０５及び下部ブラケット６１０は、電子デバイス１１０（図１を参照）のねじりに抵抗するように構成することができる。すなわち、電子デバイス１１０は、コネクタ１０５により支持されているだけなため、ブラケット２１０は、ブラケットが曲げ及び／又はねじりに抵抗するように、電子デバイスを堅く支持するように構成することができる。一実施形態では、ブラケット２１０は、そのようなねじり及び曲げの力に抵抗するために、実質的に正方形の断面を有するように構成される。
【００４３】
電子デバイス１１０の前にブラケット２１０が機能しなくなることを可能にするために、多様な保護機能を用いることができる。一実施形態では、電子デバイス１１０の前に破壊するように、取付面６２５、６４５上のレーザー溶接部の量及び構成を設計することができる。より具体的には、電子デバイス１１０が損傷する前に取付面６２５、６４５が取り付けボス６５０ａ、６５０ｂから剥離するように、レーザー溶接部の数を制限することができる。一実施形態では、レーザー溶接部の互い違いの行を使用することができる。他の実施形態では、電子デバイス１１０の前に取付面が機能しなくなるようにそれぞれの溶接部から熱の影響を受ける区域が取付面６２５、６４５の弱くなったエリアを生成するように、レーザー溶接部を、互いに近接して配置することができる。一実施形態では、溶接部が互いに近接するレーザー溶接部の列を使用することができる。別の実施形態では、電子デバイスが損傷する前に曲がる、歪む、破壊する、降伏する、又はなんらかの他の方法で機能しなくなるように、取付フランジ６１５ａ、６１５ｂ、６３５ａ、６３５ｂ、Ｕ字形状のカップ６２０、又は支持構造体６４０を設計することができる。一実施形態では、取付フランジ６１５ａ、６１５ｂ、６３５ａ、６３５ｂを取付板２１５（図２を参照）に固定するために使用される締め具は、電子デバイス１１０が損傷する前に破壊する又は取付板から引き抜かれるように設計される。電子デバイス１１０の前にドッキングステーション１００が機能しなくなることを可能にするために、他の技術もまた使用することができる。
【００４４】
いくつかの実施形態では、上部ブラケット６０５及び下部ブラケット６１０は、ステンレス鋼から製造することができ、他の実施形態では、他の金属又は金属合金を使用することができる。いくつかの実施形態では、電子デバイスへの損傷が発生する前に材料が機能しなくなることを可能にするように、材料を選択することができる。更なる実施形態では、ブラケット２１０は、ニッケル、金、スズ、パラジウム、及び銀を含むがこれらに限定されない、１つ以上の層の金属を用いてめっきすることができる。
【００４５】
いくつかの実施形態では、プラグコネクタ１０５は、８接点の軸対称二方向プラグコネクタとすることができる。一実施形態は、あらゆる目的のためにその全体が本明細書に組み込まれる米国特許第８，７０８，７４５号に記載されているようなコネクタを用いることができる。コネクタ１０５は、第１の係合面７１５及びいくつかの実施形態では第２の係合面（図示せず）を含むことができる、タブ７１０を有することができる。複数の電気接点７２０（１）〜７２０（８）は、係合面に配置することができる。いくつかの実施形態では、特に電子デバイスが常に同じ向きに結合されるようなドッキングステーションにおいて用いられる実施形態では、電気接点７２０（１）〜７２０（８）は、１つの係合面のみの上に配置することができる。他の実施形態は、３０ピンコネクタ又はＵＳＢ型コネクタなどの異なるプラグを用いることができる。更なる実施形態では、コネクタプラグは、電子デバイス１１０内のレセプタクルコネクタ１４０（図１を参照）の保持を促進する１つ以上の戻り止め７２５を有することができる。更なる実施形態では、戻り止め７２５の形状は、より容易なドックからの切り離しを可能にするために、戻り止めの深さをより浅くすること及び／又は戻り止め内の勾配をより浅くすることなどの変更することができる。
【００４６】
電子デバイス１１０（図１を参照）は、１つの特定の電子デバイスとして説明し図示されているが、本考案の実施形態は、ドッキングステーションと結合可能な多様な電子デバイスを用いた使用に好適である。例えば、オーディオ信号、ビデオ信号、又はデータ信号を受信又は送信する任意のデバイスを本考案とともに使用することができる。一部の場合には、本考案の実施形態は、ポータブル電子メディアデバイスを用いた使用に、それらの潜在的に小さいフォームファクタ及びそれらのドッキングステーションを用いた使用のため、特に良好に適合する。本明細書で使用するとき、電子メディアデバイスは、人間が知覚可能なメディアを提示するために使用することができる、少なくとも１つの電子構成要素を有する任意のデバイスを含む。そのようなデバイスとしては、例えば、ポータブル音楽プレーヤ（例えば、ＭＰ３デバイス、及びＡｐｐｌｅのｉＰｏｄ（登録商標）デバイス）、ポータブルビデオプレーヤ（例えば、ポータブルＤＶＤプレーヤ）、携帯電話（例えば、ＡｐｐｌｅのｉＰｈｏｎｅ（登録商標）デバイスなどのスマートフォン）、ビデオカメラ、デジタルスチルカメラ、投影システム（例えば、ホログラフィック投影システム）、ゲームシステム、ＰＤＡ、並びにタブレット（例えば、ＡｐｐｌｅのｉＰａｄ（登録商標）デバイス）、ラップトップコンピュータ、又は他のモバイルコンピュータを挙げることができる。これらのデバイスのうちの一部は、オーディオ出力、ビデオ出力、又は他のデータ出力若しくは体感用出力を提供するように、構成することができる。
【００４７】
簡潔性のために、電子デバイス１１０（図１を参照）の制御回路、グラフィック回路、バス、メモリ、記憶装置、及び他の構成要素などの様々な内部構成要素、並びにドッキングステーション１００は、図には示されない。
【００４８】
前述の明細書において、実施毎に異なってもよい様々な特定の詳細を参照しながら、本考案の実施形態について説明した。したがって、明細書及び図面は、限定的でなく、例示的な意味で考慮されるべきである。本考案の範囲の唯一かつ排他的な指標及び出願人が本考案の範囲として意図するものは、一切の後続の訂正を含む１組の請求項が由来する特定の形式において本出願に由来する当該請求項の文字通りでかつ等価の範囲である。
【図１】
0003212076.tif 000003
【図２】
0003212076.tif 000004
【図３】
0003212076.tif 000005
【図４】
0003212076.tif 000006
【図５】
0003212076.tif 000007
【図６】
0003212076.tif 000008
【図７】
0003212076.tif 000009
【手続補正書】
【提出日】平成29年3月13日(2017.3.13)
【手続補正１】
【補正対象書類名】実用新案登録請求の範囲
【補正対象項目名】全文
【補正方法】変更
【補正の内容】
【実用新案登録請求の範囲】
【請求項１】
ポータブル電子デバイス用ドッキングステーションであって、
基体の上方に配置され基体に固定されたカバーを有する筐体と、
前記電子デバイスのための十分な支持を提供するように構成され、前記基体に固定された第１の端部、及び前記カバーの外面を越えて鋭角で延びる第２の端部を有するコネクタプラグと、
前記筐体内に配置され、前記コネクタプラグを支持し前記鋭角を画定するように構成されたブレースと、
前記コネクタプラグ及び前記筐体に結合された可撓性構造体と、
を備え、前記可撓性構造体は、前記コネクタプラグが前記ブレースから離れる方向に強制的に偏向されるのを可能にし、
前記可撓性構造体は、前記基体内に配置された取付板、及び前記カバー内に配置されたエラストマインサートを含む、ドッキングステーション。
【請求項２】
前記ブレースが、前記コネクタプラグに加わる所定の最大量の力を支持し、前記最大量の力を上回る場合に偏向するように構成された、請求項１に記載のドッキングステーション。
【請求項３】
前記所定の最大量の力は、前記ポータブル電子デバイスを損傷させるのに必要な最小の力未満である、請求項２に記載のドッキングステーション。
【請求項４】
前記支持ブレースが提供するように構成される前記所定の最大量の力は、８００〜１８００ニュートン・ミリメートルのトルクの間である、請求項２に記載のドッキングステーション。
【請求項５】
前記ブレースが、前記鋭角を変更することができるように調節可能である、請求項１乃至４のいずれか１項に記載のドッキングステーション。
【請求項６】
前記ブレースが、前記鋭角が６９〜８９度の間であるように調節可能である、請求項５に記載のドッキングステーション。
【請求項７】
前記ブレースが、変形可能な梁により前記コネクタへの支持を提供する脚に結合され、前記筐体基体に取り付けられた調節可能な支持板を含む、請求項１乃至６のいずれか１項に記載のドッキングステーション。
【請求項８】
前記取付板が、前記ドッキングステーションの前記基体にインサート成形された、請求項１乃至７のいずれか１項に記載のドッキングステーション。
【請求項９】
ポータブル電子デバイス用ドッキングステーションであって、
屈曲するように構成された底部壁を有する筐体基体と、
前記底部壁に鋭角に取り付けられ、前記ポータブル電子デバイスと係合するように構成されたコネクタと、
前記筐体基体に固定され、エラストマインサートであって、前記コネクタが移動されると前記底部壁及び前記エラストマインサートの両方が偏向するように前記コネクタが貫通して突出する、エラストマインサート、を有する開口を有する筐体カバーと、
前記筐体 内に配置され、前記コネクタを前記鋭角に支持する支持ブレースと、
を備えるドッキングステーション。
【請求項１０】
前記筐体基体の前記底部壁が、前記コネクタと接続して機能するインサート成形された取付板を含む、請求項９に記載のドッキングステーション。
【請求項１１】
前記筐体カバーが、前記筐体基体の上に配置され、前記カバー及び前記基体が、内部空洞を有するエンクロージャを形成する、請求項９又は１０に記載のドッキングステーション。
【請求項１２】
質量板が、前記エンクロージャ内に配置され、前記筐体基体に固定され、前記支持ブレースが、前記質量板に固定された、請求項１１に記載のドッキングステーション。
【請求項１３】
前記支持ブレースが、前記鋭角が調節可能なように調節可能であるように構成された、請求項９乃至１２のいずれか１項に記載のドッキングステーション。
【請求項１４】
前記支持ブレースが、前記コネクタに加わる所定の最大量の力まで前記コネクタに支持を提供するように構成された硬質のブレースである、請求項９乃至１３のいずれか１項に記載のドッキングステーション。
【請求項１５】
前記支持ブレースが、前記コネクタに加わる前記所定の最大量の力を上回る場合、偏向するように更に構成された、請求項１４に記載のドッキングステーション。
【請求項１６】
前記偏向が、前記鋭角が減少するように前記コネクタが移動することを可能にする、請求項１５に記載のドッキングステーション。
【請求項１７】
ポータブル電子デバイス用ドッキングステーションであって、
基体の上方に配置され基体に固定されたカバーを有する筐体と、
前記基体に固定されたブラケットに貼り付けられた第１の端部、及び前記カバーの上面を越えて延び前記電子デバイスに係合するように構成された第２の端部を有するコネクタプラグと、
を備え、前記ブラケットは、前記コネクタプラグに加わる所定の最大量の力を支持し、前記最大量の力を上回る場合に偏向するように構成された、ドッキングステーション。
【請求項１８】
前記ブラケットが、前記コネクタ に貼り付けられた上部部分及び下部部分を有する、請求項１７に記載のドッキングステーション。
【請求項１９】
前記上部部分及び下部部分が、互いの上に配置され前記基体に固定された取付フランジを有する、請求項１８に記載のドッキングステーション。
【請求項２０】
前記上部部分が、前記コネクタに貼り付けられた実質的に平坦な取付面を有する、請求項１８又は１９に記載のドッキングステーション。